【手続補正書】
【提出日】平成22年1月4日(2010.1.4)
【手続補正１】
【補正対象書類名】特許請求の範囲
【補正対象項目名】全文
【補正方法】変更
【補正の内容】
【特許請求の範囲】
【請求項１】
車両の車輪に取り付けるための、牽引ケーブルと引張装置とを含む自動引張式牽引ケーブルであって、
前記引張装置が、
少なくとも１つの孔と、一連のハウジング歯を有する上部と、上面を備えた内部を有する下部とを有するハウジングと、
前記ハウジングに相互連結された作動レバーと、
コードと、
上面および下面と、前記ハウジング歯と噛み合うように構成および配置された前記上面上の一連のラチェット歯と、前記上面と前記下面との間に前記コードを収容するために十分なスペースが設けられた溝とを含み、前記コードが相互連結されたラチェットスプールと、
前記ラチェットスプールに相互連結され、前記ラチェットスプールに巻取方向への付勢をかけるように構成および配置された引張ばねと、
前記ハウジング下部の前記内部の前記上面と前記ラチェットスプールの前記下面との間に位置して前記ラチェットスプールを前記ハウジング歯の方向に付勢する波形ばねとを含み、
前記引張装置が前記牽引ケーブルを車輪に固定することができるように、前記牽引ケーブルが前記引張装置に相互連結され、前記コードが前記牽引ケーブルに連結可能である自動引張式牽引ケーブル。
【請求項２】
前記孔が前記ハウジングの上部と下部とによって形成される請求項１に記載の引張装置。
【請求項３】
前記ラチェット歯および前記ハウジング歯が、前記ラチェットスプールおよび前記ハウジングの縦軸（vertical axis）に垂直な水平面に対して９０度より大きい角度でアンダーカットされている請求項１に記載の引張装置。
【請求項４】
前記角度が、前記ラチェットスプールおよび前記ハウジングの前記縦軸に垂直な前記水平面に対して９０度の角度よりも約３〜約３０度大きい請求項３に記載の引張装置。
【請求項５】
前記作動レバーが、上昇位置と下降位置とを有し、前記ハウジングに回動可能に相互連結され、前記作動レバーは、前記作動レバーの前記ハウジングに対する回動点から延出するカムを有し、前記作動レバーが上昇位置にあるとき、前記カムは、前記ラチェット歯が前記ハウジング歯から外れる下降位置に前記ラチェットスプールを保持し、前記回動作動レバーが下降位置にあるとき、前記ラチェットスプールは上昇位置にある請求項１に記載の自動引張式牽引ケーブル。
【請求項６】
前記引張ばねの外側末端におけるひだ部と、前記ラチェットスプールの内側表面にその周方向凹部に近接して設けられた、前記ひだ部を収容して保持するのに十分な大きさの切欠き部とをさらに含む請求項１に記載の自動引張式牽引ケーブル。
【請求項７】
複数の波形ばねをさらに含む請求項１に記載の自動引張式牽引ケーブル。
【請求項８】
前記牽引ケーブルを前記ハウジングに取り付けるための複数の連結部材をさらに含む請求項１に記載の自動引張式牽引ケーブル。
【請求項９】
前記ハウジングの上部と下部との間の接合部が、互いに噛み合うリップとグルーブとを含むように構成および配置されている請求項１に記載の自動引張式牽引ケーブル。
【請求項１０】
複数のコードが前記ラチェットスプールに相互連結されている請求項１に記載の自動引張式牽引ケーブル。
【請求項１１】
前記ハウジングが、前記上部と前記下部とによって形成される複数の孔を含み、前記複数のコードのそれぞれが前記複数の孔のそれぞれを通って延びている請求項１０に記載の自動引張式牽引ケーブル。
【請求項１２】
各コードが、
第１および第２の端部と、
前記コードの第１の端部における第１のつまみと、
前記コードの第２の端部における第２のつまみと、
前記コードを取り囲むグロメット（grommet）とを含み、
前記グロメットが、前記第１のつまみおよび前記第２のつまみのいずれかの最小直径よりも直径が小さい、前記コードが通過する開口部を有する請求項１１に記載の自動引張式牽引ケーブル。
【請求項１３】
前記グロメットが、前記上部と前記下部との間で前記孔に近接して前記ハウジングと係合する請求項１２に記載の自動引張式牽引ケーブル。
【請求項１４】
牽引力を提供するために車両の車輪に取り付けるための牽引ケーブルに張力をかけるための引張装置であって、
少なくとも１つの孔と、一連のハウジング歯を有する上部と、上面を備えた内部を有する下部とを含むハウジングと、
前記ハウジングに相互連結された作動レバーと、
コードと、
上面および下面と、前記ハウジング歯と噛み合うように構成および配置された前記上面上の一連のラチェット歯と、前記上面と前記下面との間に前記コードを収容するために十分なスペースが設けられた溝とを含み、前記コードが相互連結されたラチェットスプールと、
前記ラチェットスプールに相互連結され、前記ラチェットスプールに巻取方向への付勢をかけるように構成および配置された引張ばねと、
前記ハウジング下部の前記内部の前記上面と前記ラチェットスプールの前記下面との間に位置して前記ラチェットスプールを前記ハウジング歯の方向に付勢する波形ばねとを含み、
該引張装置が前記牽引ケーブルを車輪に固定することができるように前記牽引ケーブルに相互連結可能な引張装置。
【請求項１５】
前記ラチェットスプールが、上昇位置と下降位置とを有し、前記ラチェットスプールが下降位置にあるときは前記ラチェット歯が前記ハウジング歯と係合し、前記ラチェットスプールが上昇位置にあるときは前記ラチェット歯が前記ハウジング歯と係合しない請求項１４に記載の引張装置。
【請求項１６】
前記作動レバーが、上昇位置と下降位置とを有し、前記ハウジングに回動可能に相互連結され、前記作動レバーは、前記作動レバーの前記ハウジングに対する回動点から延出するカムを有し、前記作動レバーが上昇位置にあるとき、前記カムは、前記ラチェットスプールを下降位置に保持し、前記回動作動レバーが下降位置にあるとき、前記ラチェットスプールは上昇位置にある請求項１４に記載の引張装置。
【請求項１７】
前記ラチェットスプールが、前記ラチェットスプールの底面上の留め具をさらに含み、前記引張装置が、上昇位置と下降位置とを有するストッパをさらに含み、前記ストッパは、前記ラチェットスプールが下降位置にあるときに前記ラチェットスプールが巻取方向に３６０度より多く回転しないように、前記ラチェットスプールが下降位置にあるときに前記ストッパが前記留め具を阻止することになる前記上昇位置へと付勢されている請求項１６に記載の引張装置。
【請求項１８】
いくつかの留め具が存在し、前記留め具の数が２つ、３つおよび４つからなる群から選択される請求項１７に記載の引張装置。
【請求項１９】
前記引張ばねの外側末端におけるひだ部と、前記ラチェットスプールの内側表面にその周方向凹部に近接して設けられた、前記ひだ部を収容して保持するのに十分な大きさの切欠き部とをさらに含む請求項１４に記載の引張装置。
【請求項２０】
前記ラチェット歯および前記ハウジング歯が、前記ラチェットスプールおよび前記ハウジングの縦軸（vertical axis）に垂直な水平面に対して９０度の角度よりも約３〜約３０度大きい角度でアンダーカットされている請求項１４に記載の引張装置。
【請求項２１】
複数の波形ばねをさらに含む請求項１４に記載の引張装置。
【請求項２２】
前記牽引ケーブルを前記ハウジングに取り付けるための複数の連結部材をさらに含む請求項１４に記載の引張装置。
【請求項２３】
前記上部と前記下部との間の接合部が、互いに噛み合うリップとグルーブとを含むように構成および配置されている請求項１４に記載の引張装置。
【請求項２４】
複数のコードが前記ラチェットスプールに相互連結されている請求項１４に記載の引張装置。
【請求項２５】
前記ハウジングが、前記上部と前記下部とによって形成される複数の孔を含み、前記複数のコードのそれぞれが前記複数の孔のそれぞれを通って延びている請求項１４に記載の引張装置。
【請求項２６】
各コードが、
第１および第２の端部と、
前記コードの第１の端部における第１のつまみと、
前記コードの第２の端部における第２のつまみと、
前記コードを取り囲むグロメット（grommet）とを含み、
前記グロメットが、前記第１または第２のつまみが通過するのを防止するように構成および配置された直径を有する、前記コードが通過する開口部を有する請求項２５に記載の引張装置。
【請求項２７】
前記グロメットが、前記上部と前記下部との間で前記孔に近接して前記ハウジングと係合する請求項２６に記載の引張装置。
【請求項２８】
ラチェットスプールと、上部、下部および前記上部と前記下部とによって形成される少なくとも１つの孔を含むハウジングとを有する自動引張式牽引ケーブル用のサブユニットであって、
第１および第２の端部を有するコードと、
前記コードの第１の端部における第１のつまみと、
前記コードの第２の端部における第２のつまみと、
前記コードを取り囲むグロメット（grommet）であって、前記第１または第２のつまみが通過するのを防止するように構成および配置された直径を有する、前記コードが通過する開口部を有するグロメットとを含み、
前記コードを前記ラチェットスプールの周りに巻き付けることができるように、前記コードが前記ラチェットスプールに取り付け可能であるサブユニット。
【請求項２９】
前記グロメットが、少なくとも部分的に前記孔内に嵌合するような大きさである請求項２８に記載のサブユニット。
【請求項３０】
自動引張式牽引ケーブル用の引張装置の２つのハウジング部品の取付方法であって、
接合されてハウジングを形成することが可能な第１および第２のハウジング部品を提供する工程であって、一方のハウジング部品がリップ（lip）を有し、他方のハウジング部品がグルーブを有する工程と、
前記ハウジング部品のそれぞれが接合されて前記ハウジングを形成するとき、前記ハウジング部品の間に前記リップおよび前記グルーブが接合部を形成するように、前記ハウジング部品のそれぞれが接合されているときに前記リップを前記グルーブと噛み合わせる工程とを含む方法。
【請求項３１】
少なくとも１つのねじで前記第１のハウジング部品を前記第２のハウジング部品に固定することをさらに含む請求項３０に記載の方法。
【請求項３２】
前記リップと前記グルーブとを噛み合わせる前に、
コードと、開口部を有するグロメット（grommet）と、第１および第２のつまみを提供する工程と、
前記第１のつまみを前記コードに取り付ける工程と、
前記コードを前記開口部に通す工程と、
前記第２のつまみを前記コードに取り付ける工程と、
前記噛み合わせる工程が前記第１のつまみおよび前記コードの一部を固定することを含み、前記噛み合わせる工程の後、前記第１のボール（ball）および前記コードの前記一部が前記ハウジング内に封入されるように、前記第１の部品と前記第２の部品との間に前記第１のつまみおよび前記コードの前記一部を配置する工程とを含む請求項３０に記載の方法。
【請求項３３】
前記グロメットの開口部が、前記第１または第２のつまみが前記開口部を通過するのを防止するように構成および配置された直径を有し、前記噛み合わせる工程が前記第１の部品と前記第２の部品との間に前記グロメットを固定することを含むように、前記配置する工程は、前記第１の部品と前記第２の部品との間に前記グロメットを配置すること含む請求項３２に記載の方法。
【請求項３４】
止めおよび一連のハウジング歯を有するハウジングと、
一連のラチェット歯および少なくとも１つの留め具を有するスプールを含み、前記ハウジング内部に設置された巻取機構と、
前記スプールに動作可能に連結されたコードとを含み、
前記巻取機構が、前記コードの動きを制御する２つの位置を有し、第１の位置は、前記コードが前記ハウジングに引き込まれ前記ハウジングから引き出すことができない巻取位置であり、第２の位置は、前記コードが前記ハウジングから引き出され得る巻出位置であり、
前記機構が第２の位置にある間に前記コードが前記ハウジングから引き出されてその後解放されると、前記留め具が前記止めと接触するまで前記コードが前記ハウジング内に引っ込み、
前記留め具が前記止めと接触する前に前記スプールは３６０度未満回転し、
前記ラチェット歯が前記ハウジング歯から外れ、前記スプールが巻取方向に回転しているとき、前記止めが前記少なくとも１つの留め具の１つを阻止するように、前記止めは、ばねで付勢されている自動引張式牽引装置。
【請求項３５】
前記ハウジングに相互連結された作動レバーをさらに含み、前記作動レベルが前記機構の位置を制御する請求項３４に記載の自動引き締め式牽引装置。
【請求項３６】
前記作動レバーが上昇位置と下降位置とを有し、前記ハウジングに回動可能に相互連結され、前記作動レバーは、前記作動レバーの前記ハウジングに対する回動点から延出するカムを有する請求項３５に記載の自動引張式牽引ケーブル。
【請求項３７】
前記ハウジングが、少なくとも１つの孔と、一連のハウジング歯を有する上部と、下部とを有し、
前記ハウジングに相互連結された作動レバーと、
上面および下面と、前記ハウジング歯と噛み合うように構成および配置された前記上面上の一連のラチェット歯と、下面と、前記上面と前記下面との間に前記コードを収容するために十分なスペースが設けられた溝とを有し、前記コードが相互連結されたラチェットスプールと、
前記ラチェットスプールに相互連結され、前記ラチェットスプールに巻取方向への付勢をかけるように構成および配置された引張ばねと、
前記ハウジング下部の上面と前記ラチェットスプールの前記下面との間に位置して前記ラチェットスプールを前記ハウジング歯の方向に付勢する波形ばねとをさらに含む請求項３４に記載の自動引張式牽引ケーブル。
【請求項３８】
前記巻取機構が複数の留め具を含む請求項３４に記載の自動引張式牽引装置。